(57)【要約】【課題】  構造及び組み合わせが簡単で、実用的な眼鏡を提供する。【解決手段】鼻当てと、二枚のレンズと、テンプルとを含んでなる眼鏡と、鼻当てと、二枚のレンズとを含んでなるサブレンズと、凸部と、凹溝と、磁性部材とを含んでなる接続部材と、を含んでなり、該眼鏡の鼻当てには凹溝が形成され、該サブレンズの鼻当てには接続部が形成され、該接続部には磁石が設けられ、該接続部材の凸部は予め決められた適宜な位置に少なくとも１以上設けられ、眼鏡の鼻当てに形成された凹溝に嵌合して設けられ、該接続部材に設けられた磁性部材がサブレンズの接続部に設けられた磁性部材と磁性により互いに引き付け合って眼鏡とサブレンズが組み合わせられる構造からなる。【選択図】図２
0003130294.tif 000002
【実用新案登録請求の範囲】
【請求項１】
鼻当てと、二枚のレンズと、テンプルとを含んでなる眼鏡と、
鼻当てと、二枚のレンズとを含んでなるサブレンズと、
凸部と、凹溝と、磁性部材とを含んでなる接続部材と、を含んでなり、
該眼鏡の鼻当てには凹溝が形成され、
該サブレンズの鼻当てには接続部が形成され、該接続部には磁石が設けられ、
該接続部材の凸部は予め決められた適宜な位置に少なくとも１以上設けられ、眼鏡の鼻当てに形成された凹溝に嵌合して設けられ、該接続部材に設けられた磁性部材がサブレンズの接続部に設けられた磁性部材と磁性により互いに引き付け合って眼鏡とサブレンズが組み合わせられる構造からなることを特徴とする眼鏡。
【考案の詳細な説明】
【技術分野】
【０００１】
この考案は、眼鏡に関し、特に視力を調整して物をみるために使用する眼鏡に関する。
【背景技術】
【０００２】
眼鏡は近視や遠視の人の視力を調整する、強い紫外線などから目を保護する、顔の雰囲気や輪郭を変えて美しく見せるなど様々なメリットを備えている。
【０００３】
しかしながら、近視などで眼鏡を使用している人は、日差しの強い時にサングラスをつけて外へ出る場合、度の入ったレンズを具えたサングラスをかけなければならないため、不便であるとともに、度の入ったレンズを具えたサングラスは通常のサングラスよりも価格が高く、外出する場合にいつも携帯しなければならないため、非常に不便である。
【０００４】
よって、眼鏡関連業界では、一般の眼鏡にサングラス用のレンズを直接設けることができる眼鏡が開発された。これはサングラスを別に携帯する必要がなく、便利であるとともに、使用も簡単であるため、消費者に喜ばれている。
【０００５】
従来の掛合式の眼鏡は、眼鏡フレームと付属のレンズフレームの鼻当て部の両側にそれぞれ長方形の孔を設けて、磁石を嵌合し、磁石が互いに引き付け合って接続する。付属のレンズフレームの鼻当て部は突出して延伸して形成され、磁石面を互いに重ね合わせて、レンズフレームとサブフレームとが互いに接続される。
【０００６】
しかしながら、眼鏡フレーム上に方形の孔を形成して磁石を嵌合し、付属のレンズフレームの磁石と互いに引き付け合うように設けなけれなならないため、磁石を嵌合していない眼鏡フレームは、付属のレンズフレームを使用することができない。よって、眼鏡を新調して磁石を設けた場合にのみ、使用することができる。
【０００７】
別の眼鏡では、眼鏡の両側にそれぞれ第一磁性部材を設け、付属のレンズフレームの両側に第二磁性部材を設けて眼鏡の第一磁性部材と互いに引き付け合うように接続する。該付属のレンズフレームにはフック部を形成し、眼鏡の鼻当てに掛合して設ける。
【０００８】
しかしながら、前述の眼鏡は眼鏡フレームの両側に設けた磁性部材と、付属のレンズフレームの両側に設けた磁性部材とが対になって互いに引き付け合って接続するため、磁石を設けていない眼鏡では付属のレンズフレームを使用することができない。
【０００９】
また、上述の眼鏡はいずれも固定された磁石の付属のレンズフレームと、固定された磁石の眼鏡とを組み合わせるため、生産業者の生産コストが高くなり、消費者が購入する場合や、部材を交換することができずに不便である。
【考案の開示】
【考案が解決しようとする課題】
【００１０】
この考案は、構造及び組み合わせが簡単で、実用的な眼鏡を提供することを課題とする。
【課題を解決するための手段】
【００１１】
そこで本考案者は、従来の技術に鑑み鋭意研究を重ねた結果、鼻当てと、二枚のレンズと、テンプルとを含んでなる眼鏡と、鼻当てと、二枚のレンズとを含んでなるサブレンズと、凸部と、凹溝と、磁性部材とを含んでなる接続部材と、を含んでなり、鼻当てと、二枚のレンズと、テンプルとを含んでなる眼鏡と、鼻当てと、二枚のレンズとを含んでなるサブレンズと、凸部と、凹溝と、磁性部材とを含んでなる接続部材と、を含んでなり、
該眼鏡の鼻当てには凹溝が形成され、該サブレンズの鼻当てには接続部が形成され、該接続部には磁石が設けられ、該接続部材の凸部は予め決められた適宜な位置に少なくとも１以上設けられ、眼鏡の鼻当てに形成された凹溝に嵌合して設けられ、該接続部材に設けられた磁性部材がサブレンズの接続部に設けられた磁性部材と磁性により互いに引き付け合って眼鏡とサブレンズが組み合わせられる構造からなる眼鏡の構造によって課題を解決できる点に着眼し、係る知見に基づき本考案を完成させた。
以下、この考案について具体的に説明する。
【００１２】
請求項１に記載する眼鏡は、鼻当てと、二枚のレンズと、テンプルとを含んでなる眼鏡と、
鼻当てと、二枚のレンズとを含んでなるサブレンズと、
凸部と、凹溝と、磁性部材とを含んでなる接続部材と、を含んでなり、
該眼鏡の鼻当てには凹溝が形成され、
該サブレンズの鼻当てには接続部が形成され、該接続部には磁石が設けられ、
該接続部材の凸部は予め決められた適宜な位置に少なくとも１以上設けられ、眼鏡の鼻当てに形成された凹溝に嵌合して設けられ、該接続部材に設けられた磁性部材がサブレンズの接続部に設けられた磁性部材と磁性により互いに引き付け合って眼鏡とサブレンズが組み合わせられる構造からなる。
【考案の効果】
【００１３】
この考案の眼鏡は、構造が簡単であるため、製造コストを抑えるとともに、組み合わせが簡単で実用的であるという効果を有する。
【考案を実施するための最良の形態】
【００１４】
この考案は、構造及び組み合わせが簡単で、実用的な眼鏡であって、鼻当てと、二枚のレンズと、テンプルとを含んでなる眼鏡と、鼻当てと、二枚のレンズとを含んでなるサブレンズと、凸部と、凹溝と、磁性部材とを含んでなる接続部材と、を含んでなり、該眼鏡の鼻当てには凹溝が形成され、該サブレンズの鼻当てには接続部が形成され、該接続部には磁石が設けられ、該接続部材の凸部は予め決められた適宜な位置に少なくとも１以上設けられ、眼鏡の鼻当てに形成された凹溝に嵌合して設けられ、該接続部材に設けられた磁性部材がサブレンズの接続部に設けられた磁性部材と磁性により互いに引き付け合って眼鏡とサブレンズが組み合わせられる構造からなる。
係る構成の眼鏡について、その構造と特徴を詳述するために具体的な実施例を挙げ、以下に説明する。
【実施例】
【００１５】
この考案は、図２から図４に開示するように、眼鏡１０と、係合部材２０と、前方に掛合する方式のサブレンズ３０と、を含んでなる。
【００１６】
該眼鏡１０は、二つのレンズ１１と、鼻当て部１２と、レンズフレーム１３と、テンプル１４と、を含んでなる（レンズフレームのない眼鏡の場合には、鼻当て部１２と、テンプル１４のみから構成される）。
【００１７】
該係合部材２０はプラスチックか、或いは金属から形成され、弧を描き、略長方形に形成され、眼鏡１０に対対向する側面に形成された凸部２１と、両端にそれぞれ形成された凹溝２２と、該凹溝２２の内部に固定して設ける磁性部材２３とを含んでなる。該凸部２１は、眼鏡１０の鼻当て部１２に形成された凹溝１２１に嵌合して設けるか、或いは接着剤で粘着して眼鏡に接続する。
【００１８】
サブレンズ３０は、サングラスに使用する二枚の色つきレンズ３１と、鼻当て部３２と、該鼻当て部３２から水平方向に延伸して形成された接続部３３と、該接続部３３の両端に形成された凹溝３３１と、該凹溝３３１に固定して設けられる磁性部材３４とを含んでなる。該磁性部材３４が係合部材２０の磁性部材２３と互いに引き付け合ってサブレンズ３０が眼鏡１０の外側側面に設けられる。
【００１９】
この考案は上述のような組み合わせからなり、従来のような眼鏡とサブレンズを直接組み合わせる構造ではないため、接続した状態が安定するとともに、組み合わせが簡単で、美観も高められる。
【００２０】
組み合わせる場合には、係合部材２０の凸部２１を眼鏡１０の鼻当て部１２の凹溝２２内に嵌合して、係合部材２０と眼鏡１０の鼻当て部１２を接続する。次にサブレンズ３０の接続部３３の磁性部材３４と、係合部材２０の磁性部材２３とが重なるようにサブレンズ３０を眼鏡１０の外側側面に設けると、接続部３３の磁性部材３４と係合部材２０の磁性部材２３とが磁性により互いに引き付け合って、サブレンズ３０と眼鏡１０が組み合わせられる。
【００２１】
該サブレンズ３０を取り外す場合には、サブレンズ３０を係合部材２０から取り外すだけでよい。
【００２２】
係合部材２０は、眼鏡１０のレンズフレーム１３の両側に設けるとともに、サブレンズ３０の両側にも接続部材と磁性部材を設けて組み合わせてもよい。
【００２３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２４】
【図１】この考案の眼鏡を示した分解図である。
【図２】この考案の眼鏡を示した斜視図である。
【図３】この考案の眼鏡を上方からみた状態を示した部分平面図である。
【図４】この考案の眼鏡を示した正面図である。
【図５】この考案の眼鏡の一部を示した断面図である。
【符号の説明】
【００２５】
１０ 眼鏡
１１ レンズ
１２ 鼻当て部
１２１ 凹溝
１３ レンズフレーム
１４ テンプル
２０ 係合部材
２１ 凸部
２２ 凹溝
２３ 磁性部材
３０ サブレンズ
３１ レンズ
３２ 鼻当て部
３３ 接続部
３３１ 凹溝
３４ 磁性部材
【図１】
0003130294.tif 000003
【図２】
0003130294.tif 000004
【図３】
0003130294.tif 000005
【図４】
0003130294.tif 000006
【図５】
0003130294.tif 000007